(57)【要約】  フリッカの発生を抑制し表示品位の悪化を防止することができる液晶表示装置及び表示方法を提供する。  液晶表示装置は、外部から任意のフレーム周波数の画像を取得する取得部と、取得した取得画像の一のフレームに当該フレームを１又は複数回繰り返し挿入して表示周波数の画像に変換する変換部と、変換した変換画像のフレームが切り替わる場合に、任意の高階調値及び低階調値の中間値と、当該高階調値から当該低階調値へ遷移する途中の階調値が当該低階調値から当該高階調値へ遷移する途中の階調値に等しくなる階調値との第１差を、取得画像のフレームが切り替わる場合に、当該高階調値及び当該低階調値の中間値と、当該高階調値から当該低階調値へ遷移する途中の階調値が当該低階調値から当該高階調値へ遷移する途中の階調値に等しくなる階調値との第２差よりも小さくすべく制御する制御部とを備える。
2015186212.tif 000002
【特許請求の範囲】
【請求項１】
所定の表示周波数でフレーム単位の画像を表示し、該画像のフレームが切り替わる場合に高階調値から低階調値へ遷移する際の立下り応答時間が前記低階調値から前記高階調値へ遷移する際の立上がり応答時間よりも速い液晶パネルを備える液晶表示装置において、
外部から任意のフレーム周波数の画像を取得する取得部と、
該取得部で取得した取得画像の一のフレームに該フレームを１又は複数回繰り返し挿入して前記表示周波数の画像に変換する変換部と、
該変換部で変換した変換画像のフレームが切り替わる場合の、任意の高階調値及び低階調値の中間値と、前記高階調値から前記低階調値へ遷移する途中の階調値が前記低階調値から前記高階調値へ遷移する途中の階調値に等しくなる階調値との第１差を、
前記取得画像のフレームが切り替わる場合の、前記高階調値及び前記低階調値の中間値と、前記高階調値から前記低階調値へ遷移する途中の階調値が前記低階調値から前記高階調値へ遷移する途中の階調値に等しくなる階調値との第２差よりも小さくすべく制御する制御部と
を備えることを特徴とする液晶表示装置。
【請求項２】
前記制御部は、
前記変換部で変換した変換画像のフレームが切り替わる場合の、前記高階調値から前記低階調値へ遷移する際の立下がり応答時間と前記低階調値から前記高階調値へ遷移する際の立上がり応答時間との差を小さくすべく制御するようにしてあることを特徴とする請求項１に記載の液晶表示装置。
【請求項３】
フレームの切替前後それぞれの階調値に対応付けられ、階調遷移の際の立下がり応答時間及び立上がり応答時間を決定する決定部を備え、
前記制御部は、
前記変換部で変換した変換画像のフレームが切り替わる場合に、前記決定部が決定する立下がり応答時間を長くして、前記高階調値から前記低階調値へ遷移する途中の階調値が前記低階調値から前記高階調値へ遷移する途中の階調値に等しくなる階調値を、前記中間値に近づけるべく制御するようにしてあることを特徴とする請求項１又は請求項２に記載の液晶表示装置。
【請求項４】
前記決定部は、
前記立下がり応答時間を決定し、フレームの切替前後の階調値に対応付けられた補正値がそれぞれ異なる複数の補正テーブルを有し、
前記制御部は、
前記変換部で変換した変換画像のフレームが切り替わる場合に、フレームの切替後の階調値と該階調値に対応する補正値との差が小さい補正テーブルを選択するようにしてあることを特徴とする請求項３に記載の液晶表示装置。
【請求項５】
前記制御部は、
フレームの切替前後の前記取得画像の対応する画素同士の階調差よりも、前記フレームの切替前後の前記変換画像の対応する画素同士の階調差を小さくすべく制御するようにしてあることを特徴とする請求項１に記載の液晶表示装置。
【請求項６】
フレームの切替前後の前記取得画像の対応する画素それぞれの階調値の中間の階調値を有する画素を有する中間画像を生成する生成部を備え、
前記制御部は、
前記変換部が変換する場合に、フレームの切替前又は後に前記取得画像の前記一のフレームに代えて前記生成部で生成した中間画像を挿入すべく制御するようにしてあることを特徴とする請求項５に記載の液晶表示装置。
【請求項７】
前記フレーム周波数及び表示周波数に基づいて、前記変換部で変換画像に変換するか否かを判定する判定部を備え、
前記制御部は、
前記判定部で変換画像に変換すると判定した場合、制御するようにしてあることを特徴とする請求項１から請求項６までのいずれか１項に記載の液晶表示装置。
【請求項８】
所定の表示周波数でフレーム単位の画像を表示し、該画像のフレームが切り替わる場合に高階調値から低階調値へ遷移する際の立下り応答時間が前記低階調値から前記高階調値へ遷移する際の立上がり応答時間よりも速い液晶パネルを備える液晶表示装置による表示方法において、
外部から任意のフレーム周波数の画像を取得するステップと、
取得された取得画像の一のフレームに該フレームを１又は複数回繰り返し挿入して前記表示周波数の画像に変換するステップと、
変換された変換画像のフレームが切り替わる場合の、任意の高階調値及び低階調値の中間値と、前記高階調値から前記低階調値へ遷移する途中の階調値が前記低階調値から前記高階調値へ遷移する途中の階調値に等しくなる階調値との第１差を、
取得された画像のフレームが切り替わる場合の、前記高階調値及び前記低階調値の中間値と、前記高階調値から前記低階調値へ遷移する途中の階調値が前記低階調値から前記高階調値へ遷移する途中の階調値に等しくなる階調値との第２差よりも小さくすべく制御するステップと
を含むことを特徴とする表示方法。
【発明の詳細な説明】
【技術分野】
【０００１】
本発明は、階調遷移する際の立下り応答時間が立上がり応答時間よりも速い液晶パネルを備える液晶表示装置及び表示方法に関する。
【背景技術】
【０００２】
液晶パネルを備える表示装置は、映像の画素値（例えば、階調値など）が変化したときに液晶パネルの透過率を変化させるが、透過率が変化するには所要の応答時間が必要である。このため、映像が変化した場合に、液晶パネルの透過率の変化が追従することができないときがある。【０００３】
そこで、各画素を２つ以上のサブ画素に分け、一方のサブ画素にはオーバーシュートとなるように電圧を印加し、他方のサブ画素にはアンダーシュートとなるように電圧を印加することにより、画素全体として、オーバーシュート現象による波形とゆり戻し現象による波形とがお互いに打ち消し合うようにして、表示画質を保持する液晶表示装置が開示されている（特許文献１参照）。【０００４】
一方で、液晶表示装置は、映画フィルムなどのフィルム映像やテレビ放送などのビデオ映像を表示することができる。映画フィルムなどは毎秒２４コマで記録されており、フレーム周波数が２４Ｈｚである。このような映画フィルムの映像信号は、液晶表示装置のメイン基板において２４Ｈｚから６０Ｈｚへ変換される。この映像変換は、２−３プルダウン処理と称され、映画フィルムの各コマを、例えば、奇数番目のコマは３フレームに、偶数番目のコマは２フレームに変換することで、２４Ｈｚから６０Ｈｚの変換が行われる。また、液晶表示装置の駆動周波数（表示周波数とも称する）が６０Ｈｚ（ノーマル駆動）の場合には、表示画像の切り替え（フレームの切り替え）は、３フレーム（２０Ｈｚ）、２フレーム（３０Ｈｚ）と極端に遅い周波数で行われることになる。
【先行技術文献】
【特許文献】
【０００５】
【特許文献１】特開２００９−２３７３５２号公報
【発明の概要】
【発明が解決しようとする課題】
【０００６】
高精細に明部と暗部とが混在するような映像を液晶パネルに表示する場合、例えば、明暗が千鳥状に現れる千鳥部分が存在する。このため、このような映像を表示させた場合、フレームが切り替わるタイミングで明部から暗部への遷移と暗部から明部への遷移とが同時に生じる。一般的に液晶パネルでは、階調遷移する際の立下り応答時間（高階調値から低階調値へ遷移する時間）が立上がり応答時間（当該低階調値から当該高階調値へ遷移する時間）よりも速いため、瞬間的に千鳥部分の全体の輝度が低下する。そして、上述のようなフィルム映像をビデオ映像に変換する処理が行われた場合、輝度低下した千鳥部分が、２０Ｈｚや３０Ｈｚなどの遅い周波数で発生するため、フリッカとして視認され表示品位が悪化するという問題がある。【０００７】
本発明は斯かる事情に鑑みてなされたものであり、フリッカの発生を抑制し表示品位の悪化を防止することができる液晶表示装置及び表示方法を提供することを目的とする。
【課題を解決するための手段】
【０００８】
本発明に係る液晶表示装置は、所定の表示周波数でフレーム単位の画像を表示し、該画像のフレームが切り替わる場合に高階調値から低階調値へ遷移する際の立下り応答時間が前記低階調値から前記高階調値へ遷移する際の立上がり応答時間よりも速い液晶パネルを備える液晶表示装置において、外部から任意のフレーム周波数の画像を取得する取得部と、該取得部で取得した取得画像の一のフレームに該フレームを１又は複数回繰り返し挿入して前記表示周波数の画像に変換する変換部と、該変換部で変換した変換画像のフレームが切り替わる場合の、任意の高階調値及び低階調値の中間値と、前記高階調値から前記低階調値へ遷移する途中の階調値が前記低階調値から前記高階調値へ遷移する途中の階調値に等しくなる階調値との第１差を、前記取得画像のフレームが切り替わる場合の、前記高階調値及び前記低階調値の中間値と、前記高階調値から前記低階調値へ遷移する途中の階調値が前記低階調値から前記高階調値へ遷移する途中の階調値に等しくなる階調値との第２差よりも小さくすべく制御する制御部とを備えることを特徴とする。【０００９】
本発明に係る表示方法は、所定の表示周波数でフレーム単位の画像を表示し、該画像のフレームが切り替わる場合に高階調値から低階調値へ遷移する際の立下り応答時間が前記低階調値から前記高階調値へ遷移する際の立上がり応答時間よりも速い液晶パネルを備える液晶表示装置による表示方法において、外部から任意のフレーム周波数の画像を取得するステップと、取得された取得画像の一のフレームに該フレームを１又は複数回繰り返し挿入して前記表示周波数の画像に変換するステップと、変換された変換画像のフレームが切り替わる場合の、任意の高階調値及び低階調値の中間値と、前記高階調値から前記低階調値へ遷移する途中の階調値が前記低階調値から前記高階調値へ遷移する途中の階調値に等しくなる階調値との第１差を、取得された画像のフレームが切り替わる場合の、前記高階調値及び前記低階調値の中間値と、前記高階調値から前記低階調値へ遷移する途中の階調値が前記低階調値から前記高階調値へ遷移する途中の階調値に等しくなる階調値との第２差よりも小さくすべく制御するステップとを含むことを特徴とする。【００１０】
本発明にあっては、取得部は、外部から任意のフレーム周波数の画像を取得する。画像は、動画又は映像を含む。画像は、例えば、フレーム周波数が毎秒３０フレームのビデオ映像（ＮＴＳＣ信号）、あるいはフレーム周波数が毎秒２４フレームのフィルム映像などである。なお、ビデオ映像を表示する際にインタレース走査を行うときには、１フレームの画像を、第１フィールド及び第２フィールドの２回で走査するので、表示周波数は毎秒６０フレームに相当する。【００１１】
変換部は、取得部で取得した取得画像の一のフレームに当該フレームを１又は複数回繰り返し挿入して表示周波数の画像に変換する。例えば、フレーム周波数が２４Ｈｚのフィルム映像のフレームを、フレーム１、フレーム２、フレーム３、フレーム４とする。変換部は、フィルム映像のフレーム１を３回繰り返し、フレーム１、１、１とし、フィルム映像のフレーム２を２回繰り返し、フレーム２、２とする。同様に、変換部は、フィルム映像のフレーム３を３回繰り返し、フレーム３、３、３とし、フィルム映像のフレーム４を２回繰り返し、フレーム４、４とする。これにより、変換部で変換された画像は、フレーム１、１、１、２、２、３、３、３、４、４となり、２フレームを５フレームに変換する。これにより、フレーム周波数が２４Ｈｚの画像は、表示周波数が６０Ｈｚの画像に変換される。なお、この場合、変換部で変換した変換画像のフレーム（例えば、フレーム１と２、フレーム２と３の如く）の切り替えは、２０Ｈｚ、３０Ｈｚの周波数で行われる。【００１２】
取得部で取得した取得画像のフレームが切り替わる場合の、高階調値及び低階調値の中間値と、当該高階調値から当該低階調値へ遷移する途中の階調値が当該低階調値から当該高階調値へ遷移する途中の階調値に等しくなる階調値との第２差とする。例えば、階調を０〜２５５とし、高階調値を２４０、低階調値を１０とする。高階調値及び低階調値の中間値は、１２５{＝（２４０＋１０）／２}となる。高階調値と低階調値間の遷移途中で等しくなる階調値を、例えば、４０とすると、第２差は８５（＝１２５−４０）となる。階調遷移時の立下がり応答時間と立上がり応答時間が同等である場合には、高階調値と低階調値間の遷移途中で等しくなる階調値は、中間値と同等になる。階調遷移時の立下がり応答時間が立上がり応答時間よりも速いため、第２差が輝度低下として生じる。【００１３】
制御部は、変換部で変換した変換画像のフレームが切り替わる場合の、当該高階調値及び低階調値の中間値と、当該高階調値から当該低階調値へ遷移する途中の階調値が当該低階調値から当該高階調値へ遷移する途中の階調値に等しくなる階調値との第１差を、第２差よりも小さくすべく制御する。例えば、高階調値を２４０、低階調値を１０とする。高階調値及び低階調値の中間値は、１２５［＝（２４０＋１０）／２］となる。高階調値と低階調値間の遷移途中で等しくなる階調値を、例えば、１００とすると、第１差は２５（＝１２５−１００）となり、第１差＜第２差とすることができる。これにより、輝度低下を抑制することができる。変換部で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。【００１４】
本発明に係る液晶表示装置は、前記制御部は、前記変換部で変換した変換画像のフレームが切り替わる場合の、前記高階調値から前記低階調値へ遷移する際の立下がり応答時間と前記低階調値から前記高階調値へ遷移する際の立上がり応答時間との差を小さくすべく制御するようにしてあることを特徴とする。【００１５】
本発明にあっては、制御部は、変換部で変換した変換画像のフレームが切り替わる場合の、高階調値から低階調値へ遷移する際の立下がり応答時間と当該低階調値から当該高階調値へ遷移する際の立上がり応答時間との差を小さくすべく制御する。立下がり応答時間と立上がり応答時間との差を小さくするとは、例えば、立下がり応答時間を遅くすること、立上がり応答時間を速くすること、あるいは両者を行うことである。例えば、立下がり応答時間を遅くすることにより、高階調値から低階調値へ遷移する途中の階調値が当該低階調値から当該高階調値へ遷移する途中の階調値と等しくなる階調値をより高い階調値にすることができ、中間値との差である第１差を小さくすることができる。これにより、変換部で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。【００１６】
本発明に係る液晶表示装置は、フレームの切替前後それぞれの階調値に対応付けられ、階調遷移の際の立下がり応答時間及び立上がり応答時間を決定する決定部を備え、前記制御部は、前記変換部で変換した変換画像のフレームが切り替わる場合に、前記決定部が決定する立下がり応答時間を長くして、前記高階調値から前記低階調値へ遷移する途中の階調値が前記低階調値から前記高階調値へ遷移する途中の階調値に等しくなる階調値を、前記中間値に近づけるべく制御するようにしてあることを特徴とする。【００１７】
本発明にあっては、決定部は、フレームの切替前後それぞれの階調値に対応付けられ、階調遷移の際の立下がり応答時間及び立上がり応答時間を決定する。決定部は、フレームの切替前後それぞれの階調値に対応付けたテーブル（例えば、オーバーシュートテーブルと称する）の如く構成することもでき、あるいは、フレームの切替前後それぞれの階調値に基づいて演算する構成とすることもできる。オーバーシュートテーブルを用いる場合に、まず、取得部で取得した画像を変換部で変換することなく液晶パネルで表示させるときは、例えば、フレーム切替前の階調値を２２４とし、フレーム切替後の階調値を８０とした場合に、オーバーシュート値を３０としたとする。【００１８】
次に、取得部で取得した取得画像を変換部で変換して液晶パネルで表示させるとする。すなわち、制御部は、変換部で変換した変換画像のフレームが切り替わる場合に、決定部が決定する立下がり応答時間を長くする。例えば、フレーム切替前の階調値を２２４とし、フレーム切替後の階調値を８０とした場合に、オーバーシュート値を４７とする。つまり、オーバーシュート値を３０から４７へ変更することにより、立下がり応答時間を長くすることができる。これにより、制御部は、高階調値（例えば、２２４）から低階調値（例えば、８０）へ遷移する途中の階調値が当該低階調値(例えば、８０)から当該高階調値(例えば、２２４)へ遷移する途中の階調値に等しくなる階調値を、当該高階調値及び当該低階調値の中間値（例えば、１５２）に近づけるべく制御する。これにより、第１差を一層小さくすることができるので、輝度低下を抑制することができる。そして、変換部で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。【００１９】
本発明に係る液晶表示装置は、前記決定部は、前記立下がり応答時間を決定し、フレームの切替前後の階調値に対応付けられた補正値がそれぞれ異なる複数の補正テーブルを有し、前記制御部は、前記変換部で変換した変換画像のフレームが切り替わる場合に、フレームの切替後の階調値と該階調値に対応する補正値との差が小さい補正テーブルを選択するようにしてあることを特徴とする。【００２０】
本発明にあっては、決定部は、立下がり応答時間を決定し、フレームの切替前後の階調値に対応付けられた補正値がそれぞれ異なる複数の補正テーブルを有する。制御部は、変換部で変換した変換画像のフレームが切り替わる場合に、フレームの切替後の階調値と当該階調値に対応する補正値との差が小さい補正テーブルを選択する。フレーム切替後の階調値は、階調遷移する際の目標階調値であり、補正値と目標階調値との差の大／小となると立下がり応答時間の短／長となる。そこで、フレームの切替後の階調値と当該階調値に対応する補正値との差が小さい補正テーブルを選択することにより、立下がり応答時間を長くすることができる。【００２１】
本発明に係る液晶表示装置は、前記制御部は、フレームの切替前後の前記取得画像の対応する画素同士の階調差よりも、前記フレームの切替前後の前記変換画像の対応する画素同士の階調差を小さくすべく制御するようにしてあることを特徴とする。【００２２】
本発明にあっては、制御部は、フレームの切替前後の取得画像の対応する画素同士の階調差よりも、フレームの切替前後の変換画像の対応する画素同士の階調差を小さくすべく制御する。例えば、取得画像のフレームが切り替わる際に、取得画像の任意の画素の階調値が高階調値（例えば、２２４）から低階調値（例えば、８０）に遷移するとする。この場合、当該画素の階調値の差は１４４（＝２２４−８０）となる。そして、制御部は、フレーム（取得画像のフレームと同じフレーム）切替前後の変換画像の対応する画素同士の階調値を、１４４よりも小さくする。例えば、変換画像のフレーム（取得画像のフレームと同じフレーム）が切り替わる際に、変換画像の当該画素の階調値が高階調値（例えば、２２４）から低階調値（例えば、１５２）に遷移するように変換画像を生成する。これにより、変換画像の当該画素の階調差は、９２（＝２２４−１５２）となり、急激な階調変化を回避して、立下がり応答時間と立上がり応答時間との差に起因するフリッカの発生を抑制することができる。【００２３】
本発明に係る液晶表示装置は、フレームの切替前後の前記取得画像の対応する画素それぞれの階調値の中間の階調値を有する画素を有する中間画像を生成する生成部を備え、前記制御部は、前記変換部が変換する場合に、フレームの切替前又は後に前記取得画像の前記一のフレームに代えて前記生成部で生成した中間画像を挿入すべく制御するようにしてあることを特徴とする。【００２４】
本発明にあっては、生成部は、フレームの切替前後の取得画像の対応する画素それぞれの階調値の中間の階調値を有する画素を有する中間画像を生成する。中間の階調値は、例えば、取得画像の高階調値と低階調値との中間値でもよいが、これに限定されるものではない。例えば、取得画像の任意の画素が、フレーム切替の前後で２２４（高階調値）から８０(低階調値)に遷移するとする。この場合、中間画像の対応する画素の階調値は、１５２{＝（２２４＋８０）／２}とすることができる。制御部は、変換部が変換する場合に、フレームの切替前又は後に取得画像の一のフレームに代えて生成部で生成した中間画像を挿入すべく制御する。例えば、取得画像のフレーム１を３回繰り返し、フレーム２を２回繰り返して、フレーム１、１、１、２、２にように変換する場合、同一のフレームの１フレーム目に前フレームとの中間階調の画像を挿入する。例えば、フレーム１′、１、１、２′、２のように変換する。ここで、フレーム１′、２′は、生成部が生成した中間画像である。これにより、フレームが切り替わるタイミングで、急激な階調変化を回避して、立下がり応答時間と立上がり応答時間との差に起因するフリッカの発生を抑制することができる。【００２５】
本発明に係る液晶表示装置は、前記フレーム周波数及び表示周波数に基づいて、前記変換部で変換画像に変換するか否かを判定する判定部を備え、前記制御部は、前記判定部で変換画像に変換すると判定した場合、制御するようにしてあることを特徴とする。【００２６】
本発明にあっては、判定部は、フレーム周波数及び表示周波数に基づいて、変換部で変換画像に変換するか否かを判定する。例えば、判定部は、フレーム周波数が表示周波数以上である場合、例えば、フレーム周波数が毎秒６０フレームの画像（ビデオ映像）である場合には、変換部での変換を行わないと判定する。また、判定部は、フレーム周波数が表示周波数未満である場合、例えば、フレーム周波数が毎秒２４フレームの画像（フィルム映像）である場合には、変換部で変換を行うと判定する。制御部は、判定部で変換画像に変換すると判定した場合、制御を行う。これにより、外部から入力される画像（映像）に応じて表示周波数と同じ又は速い周波数でフレームを切り替えて画像を表示する場合には、液晶パネルの応答速度を高めて表示品位を維持するとともに、表示周波数よりも遅い周波数でフレームを切り替えて画像を表示する場合には、フリッカの発生を抑制して表示品位の悪化を防止することができる。
【発明の効果】
【００２７】
本発明によれば、フリッカの発生を抑制し表示品位の悪化を防止することができる。
【図面の簡単な説明】
【００２８】
【図１】第１実施形態の液晶表示装置の構成の一例を示すブロック図である。
【図２】画像変換部での画像変換の一例を示す模式図である。
【図３】高精細な画像の一例を示す模式図である。
【図４】画像の明部と暗部とがフレームの切り替えに伴うスクロールで移動する様子の一例を示す説明図である。
【図５】階調遷移する際の立下がり応答及び立上がり応答の波形の一例を示す模式図である。
【図６】フレームの切替時のフリッカの発生の様子の一例を示す模式図である。
【図７】画像変換部で画像変換を行わない場合に使用するオーバーシュートテーブルの一例を示す説明図である。
【図８】画像変換部で変換した変換画像に対して第１オーバーシュートテーブルを用いた場合の階調遷移する際の立下がり応答及び立上がり応答の波形の一例を示す模式図である。
【図９】画像変換部で画像変換を行う場合に使用する第２オーバーシュートテーブルの一例を示す説明図である。
【図１０】画像変換部で変換した変換画像に対して第２オーバーシュートテーブルを用いた場合の階調遷移する際の立下がり応答及び立上がり応答の波形の一例を示す模式図である。
【図１１】第３実施形態の液晶表示装置の構成の一例を示すブロック図である。
【図１２】第３実施形態の液晶表示装置によるフリッカの発生を抑制する一例を示す模式図である。
【図１３】第３実施形態の液晶表示装置によるフリッカの発生を抑制する他の例を示す模式図である。
【図１４】第４実施形態によるフリッカ改善の方法の一例を示す説明図である。
【発明を実施するための形態】
【００２９】
（第１実施形態）
以下、本発明を実施の形態を示す図面に基づいて説明する。図１は第１実施形態の液晶表示装置１００の構成の一例を示すブロック図である。液晶表示装置１００は、画像入力部１０、判定部２０、画像変換部３０、制御部４０、駆動部５０、液晶パネル６０などを備える。また、制御部４０は、表示データ生成部４１、オーバーシュートテーブル４２などを備える。なお、液晶表示装置１００は、例えば、ＴＶ受像機でもよく、タッチパネルなどを備えた情報表示装置などであってもよい。
【００３０】
画像入力部１０は、取得部としての機能を有し、外部から任意のフレーム周波数の画像を取得する。フレーム周波数は、取得される画像のフレーム単位の周波数である。画像は、動画又は映像を含む。画像は、例えば、フレーム周波数が毎秒３０フレームのビデオ映像（ＮＴＳＣ信号）、あるいはフレーム周波数が毎秒２４フレームのフィルム映像などである。なお、ビデオ映像を表示する際にインタレース走査を行うときには、１フレームの画像を、第１フィールド及び第２フィールドの２回で走査するので、この場合のビデオ映像の表示周波数は毎秒６０フレームに相当する。
【００３１】
なお、フレームは、液晶パネル６０に表示する画像データ（映像データとも称する）の単位であり、表示周波数で液晶パネル６０に表示する画像がフレーム単位で書き換えられる。
【００３２】
また、画像入力部１０は、フレームメモリ（不図示）を有し、取得した画像をフレーム単位で記憶する。
【００３３】
画像変換部３０は、変換部としての機能を有し、画像入力部１０で取得した取得画像の一のフレームに当該フレームを１又は複数回繰り返し挿入して表示周波数の画像に変換する。
【００３４】
図２は画像変換部３０での画像変換の一例を示す模式図である。図２の上段は、画像入力部１０で取得した取得画像を示す。また、図２の下段は、画像変換部３０で変換した変換画像を示す。図２に示すように、取得画像は、例えば、フレーム周波数が２４Ｈｚのフィルム映像であり、便宜上４つのフレームである、フレーム１、フレーム２、フレーム３、フレーム４で表す。
【００３５】
図２に示すように、画像変換部３０は、フィルム映像のフレーム１を３回繰り返し、フレーム１、１、１とし、フィルム映像のフレーム２を２回繰り返し、フレーム２、２とする。同様に、変換部は、フィルム映像のフレーム３を３回繰り返し、フレーム３、３、３とし、フィルム映像のフレーム４を２回繰り返し、フレーム４、４とする。これにより、画像変換部３０で変換された画像は、フレーム１、１、１、２、２、３、３、３、４、４となり、２フレームを５フレームに変換する。これにより、フレーム周波数が２４Ｈｚの画像は、表示周波数が６０Ｈｚの画像に変換される。なお、この場合、画像変換部３０で変換した変換画像のフレーム（例えば、フレーム１と２、フレーム２と３の如く）の切り替え時点は、２０Ｈｚ、３０Ｈｚの周波数で行われることになる。
【００３６】
判定部２０は、フレーム周波数及び表示周波数に基づいて、画像変換部３０で変換画像に変換するか否かを判定する。例えば、判定部２０は、フレーム周波数が表示周波数以上である場合、例えば、フレーム周波数が毎秒６０フレームの画像（ビデオ映像）である場合には、画像変換部３０での変換を行わないと判定する。画像変換部３０は、画像変換を行わない場合には、画像入力部１０で取得した画像をそのまま表示データ生成部４１へ出力する。
【００３７】
また、判定部２０は、フレーム周波数が表示周波数未満である場合、例えば、フレーム周波数が毎秒２４フレームの画像（フィルム映像）である場合には、画像変換部３０で変換を行うと判定する。画像変換部３０は、画像変換を行う場合には、画像入力部１０で取得した画像を変換し、変換画像を表示データ生成部４１へ出力する。
【００３８】
表示データ生成部４１は、フレーム切替前{例えば、（Ｎ−１）フレーム}の画像の各画素の画素値（例えば、階調値）と、フレーム切替後{例えば、Ｎフレーム}の画像の各画素であって、フレーム切替前の画像の各画素に対応する画素の画素値（例えば、階調値）とを特定する。例えば、フレーム切替前の画像のある画素の階調値が２２４であり、フレーム切替後の画像の対応する画素の階調値が８０であるとすると、当該画素の階調値の差分は１４４（＝２２４−８０）となる。
【００３９】
表示データ生成部４１は、オーバーシュート補正を行う機能を有し、特定した各画素の階調値の差分に応じて、画像変換部３０が出力したフレーム切替後（Ｎフレーム）の画像の各画素の階調値にオーバーシュート補正を加えて、フレーム切替後（Ｎフレーム）の画像（Ｎフレームの表示データ）を生成する。表示データ生成部４１は、オーバーシュート補正を行う場合、オーバーシュートテーブル４２内の階調値を用いる。
【００４０】
オーバーシュートテーブル４２は、決定部としての機能を有し、フレームの切替前後それぞれの階調値に対応付けられ、階調遷移の際の立下がり応答時間及び立上がり応答時間を決定する。なお、オーバーシュートテーブル４２は、少なくとも２種類のテーブルを予め用意しておくことができ、画像変換部３０で画像変換を行うか否かで種類の異なる複数のオーバーシュートテーブル４２の中から所要のテーブルを選択することができる。オーバーシュートテーブル４２の詳細は後述する。
【００４１】
表示データ生成部４１は、生成した画像（表示データ）を駆動部５０へ出力する。
【００４２】
駆動部５０は、表示データ生成部４１が生成したフレーム単位の表示データの書き込み走査を、各フレームの垂直表示周期(駆動周期)で行うことにより、液晶パネル６０を駆動する。
【００４３】
液晶パネル６０は、一対のガラス基板が対向配置され、その間隙内に液晶物質である液晶層が形成された構造を有し、複数の画素それぞれに対応付けられた各ＦＥＴのゲートに接続されるゲートドライバ、各ＦＥＴのソースに接続されるソースドライバを有する。液晶パネル６０は、ゲートドライバから入力されたゲート信号によって各画素のＴＦＴのオン・オフが制御され、ＦＥＴのオン期間にソースドライバから入力される電圧の高低に応じて、液晶物質の電気光学特性によって決定される光透過率が制御されて画像を階調表示することができる。
【００４４】
次に、高精細の画像（映像）を動画像として液晶パネル６０に表示する場合に、フリッカが生じて表示品位が悪化するケースについて説明する。なお、このような表示品位の悪化は、特にＶＡ（Vertical Alignment）方式の液晶パネルで一般的に生ずる。
【００４５】
図３は高精細な画像の一例を示す模式図である。図３の例は、比較的標高の高い山で一部に雪が積もった状態を示す。このような画像（映像）の場合には、画像の小さな領域を抜き出して見た場合、図３に示すように、明部と暗部とが千鳥状になった千鳥部分が画像の中に比較的多く点在する。図３の例では、便宜上、３×３画素の画素ブロックを千鳥部分として抜き出している。
【００４６】
図４は画像の明部と暗部とがフレームの切り替えに伴うスクロールで移動する様子の一例を示す説明図である。図４において、左側の図はフレーム切替前｛例えば、（Ｎ−１）フレーム｝の画像であり、右側の図はフレーム切替後｛例えば、Ｎフレーム｝の画像であるとする。フレーム切替前では、画素Ｐ１が暗部であり、画素Ｐ２が明部であるとする。明部の階調値は画像がスクロールすると、右側の図で示すように、画素Ｐ１は暗部から明部へ遷移し、画素Ｐ２は明部から暗部へ遷移する。なお、簡略化のため、画素Ｐ１それぞれの階調値（例えば、階調値１０）は同じであるとし、また画素Ｐ２それぞれの階調値（例えば、階調値２４０）も同じであるとする。図３に示すような明部と暗部とが高精細に混在する画像では、千鳥部分がスクロールする際には、明部から暗部への遷移と、暗部から明部への遷移とが同時に生じる。
【００４７】
図５は階調遷移する際の立下がり応答及び立上がり応答の波形の一例を示す模式図である。図５は図４で例示する階調遷移が行われた場合の階調遷移の応答波形を示す。フレームの切替が行われると、画素Ｐ２は、階調値２４０（高階調値）から階調値１０（低階調値）へ遷移し、画素Ｐ１は、階調値１０（低階調値）から階調値２４０（高階調値）へ遷移するとする。
【００４８】
一般的に、液晶パネル６０は、階調遷移する際の立下り応答時間が立上がり応答時間よりも速い。図５の例では、画素Ｐ２の階調遷移が、画素Ｐ１の階調遷移よりも速く行われるので、画素Ｐ２の階調遷移の途中の階調値と画素Ｐ１の階調遷移の途中の階調値とが等しくなる階調値は、画素Ｐ１、Ｐ２の階調値２４０（高階調値）及び階調値１０（低階調値）の中間値である階調値１２５{＝（２４０＋１０）／２}よりもかなり低下する（図５の矢印で示す）。このため、画素Ｐ１、Ｐ２で構成される千鳥部分（画素ブロック）の平均輝度がフレームの切替時に瞬間的に低下することになる。
【００４９】
図６はフレームの切替時のフリッカの発生の様子の一例を示す模式図である。図２に例示したように、フィルム映像（フレーム周波数２４Ｈｚ）を表示周波数が６０Ｈｚのビデオ映像に変換した場合、フレームの切替が、２０Ｈｚ及び３０Ｈｚで行われる。このため、図５で例示した瞬間的な輝度の低下が、２０Ｈｚ及び３０Ｈｚという遅い周波数で現れることになる。周波数が２０Ｈｚや３０Ｈｚの輝度変化は、容易に視認することができるので、平均輝度の低下がフリッカとして視認され、表示品位を悪化させる原因となる。
【００５０】
次に、本実施の形態の液晶表示装置１００によるオーバーシュート補正について説明する。オーバーシュートテーブル４２は、画像変換部３０で画像変換を行わない場合に使用する第１オーバーシュートテーブル４２１と、画像変換部３０で画像変換を行う場合に使用する第２オーバーシュートテーブル４２２との２つのテーブルを少なくとも有する。
【００５１】
図７は画像変換部３０で画像変換を行わない場合に使用する第１オーバーシュートテーブル４２１の一例を示す説明図である。図７に示すテーブルの横欄は、Ｎフレームでの階調値、すなわちフレーム切替後の階調値を示す。また、図７の縦欄は、（Ｎ−１）フレームでの階調値、すなわちフレーム切替前の階調値を示す。また、第１オーバーシュートテーブル４２１内の値は、オーバーシュート補正する際のオーバーシュート補正値（階調値）を示し、第１オーバーシュートテーブル４２１の右上半分は、低階調値から高階調値へ遷移する立上がり（ライズ）部分であり、第１オーバーシュートテーブル４２１の左下半分は、高階調値から低階調値へ遷移する立下がり（ディケイ）部分である。オーバーシュート補正値は、オーバーシュートパラメータとも称する。
【００５２】
例えば、液晶パネルが、０から２５５階調を表示することができるとする。（Ｎ−１）フレームの画像のある画素の階調値が１２８であり、Ｎフレームの画像の対応する画素の階調値が６４であるとする。この場合、階調値６４を液晶パネルに書き込んだとすると、液晶パネル６０の透過率が変化するのに所要の応答時間が必要であるため、実際には液晶パネル６０の階調値が８０であったとすると、階調値が１６（＝８０−６４）だけ高くなってしまう。そこで、階調値６４を液晶パネル６０に書き込む代わりに、図７に示すように、階調値２３を書き込むことにより、オーバーシュート補正（階調値６４の代わりに階調値２３を用いて強調する）を行い、液晶パネル６０の階調値を６４程度にすることが可能となる。
【００５３】
同様に、（Ｎ−１）フレームの画像のある画素の階調値が６４であり、Ｎフレームの画像の対応する画素の階調値が１２８であるとする。この場合、階調値１２８を液晶パネルに書き込んだとすると、液晶パネル６０の透過率が変化するのに所要の応答時間が必要であるため、実際には液晶パネル６０の階調値が１００であったとすると、階調値が２８（＝１２８−１００）だけ低くなってしまう。そこで、階調値１２８を液晶パネル６０に書き込む代わりに、図７に示すように、階調値１７５を書き込むことにより、オーバーシュート補正（階調値１２８の代わりに階調値１７５を用いて強調する）を行い、液晶パネル６０の階調値を１２８程度にすることが可能となる。
【００５４】
次に、画像変換部３０で変換した変換画像に対して第１オーバーシュートテーブル４２１を用いた場合に瞬間的な輝度低下が生じる理由について説明する。
【００５５】
図８は画像変換部３０で変換した変換画像に対して第１オーバーシュートテーブル４２１を用いた場合の階調遷移する際の立下がり応答及び立上がり応答の波形の一例を示す模式図である。図８の例は、図５の例と同様である。すなわち、図８の例では、画素Ｐ２の階調遷移が、画素Ｐ１の階調遷移よりも速く行われるので、画素Ｐ２の階調遷移の途中の階調値と画素Ｐ１の階調遷移の途中の階調値とが等しくなる階調値は、画素Ｐ１、Ｐ２の高階調値及び低階調値の中間値よりもかなり低下する。このため、画素Ｐ１、Ｐ２で構成される千鳥部分（画素ブロック）の平均輝度（全体輝度）がフレームの切替時に瞬間的に低下することになる。
【００５６】
次に、前述の平均輝度（全体輝度）の瞬間的な低下を抑制する方法について説明する。
【００５７】
図９は画像変換部３０で画像変換を行う場合に使用する第２オーバーシュートテーブル４２２の一例を示す説明図である。図９に示すテーブルの横欄は、Ｎフレームでの階調値、すなわちフレーム切替後の階調値を示す。また、図９の縦欄は、（Ｎ−１）フレームでの階調値、すなわちフレーム切替前の階調値を示す。また、第２オーバーシュートテーブル４２２内の値は、オーバーシュート補正する際のオーバーシュート補正値（階調値）を示し、第２オーバーシュートテーブル４２２の右上半分は、低階調値から高階調値へ遷移する立上がり（ライズ）部分であり、第２オーバーシュートテーブル４２２の左下半分は、高階調値から低階調値へ遷移する立下がり（ディケイ）部分である。
【００５８】
図７に示す第１オーバーシュートテーブル４２１と対比して説明する。例えば、（Ｎ−１）フレームの画像のある画素の階調値が１２８であり、Ｎフレームの画像の対応する画素の階調値が６４であるとする。この場合、図７に示す第１オーバーシュートテーブル４２１のオーバーシュート補正値が２３であるのに対し、図９に示す第２オーバーシュートテーブル４２２のオーバーシュート補正値は４８であり、オーバーシュート補正値が２３から４８へ２５だけ増加している。これにより、高階調値から低階調値へ遷移する際の立下がり応答時間を遅くすることができる。他の階調値についても同様である。
【００５９】
また、オーバーシュートテーブル４２は、立下がり応答時間を決定し、フレームの切替前後の階調値に対応付けられたオーバーシュート補正値がそれぞれ異なる複数の補正テーブルとしての第１オーバーシュートテーブル４２１及び第２オーバーシュートテーブル４２２を有する。制御部４０は、画像変換部３０で変換した変換画像のフレームが切り替わる場合に、フレームの切替後の階調値と当該階調値に対応するオーバーシュート補正値との差が小さい第２オーバーシュートテーブル４２２を選択する。
【００６０】
例えば、フレーム切替前の階調値が１２８であり、フレーム切替後の階調値が６４であるとする。第１オーバーシュートテーブル４２１では、フレームの切替前後の階調値に対応付けられたオーバーシュート補正値は２３であり、フレーム切替後の階調値とオーバーシュート補正値との差は、４１（＝６４−２３）となる。一方、第２オーバーシュートテーブル４２２では、フレームの切替前後の階調値に対応付けられたオーバーシュート補正値は４８であり、フレーム切替後の階調値とオーバーシュート補正値との差は、１６（＝６４−４８）となる。
【００６１】
フレーム切替後の階調値は、階調遷移する際の目標階調値であり、補正値と目標階調値との差の大／小となると立下がり応答時間の短／長となる。そこで、フレームの切替後の階調値と当該階調値に対応する補正値との差が小さいオーバーシュートテーブルを選択することにより、立下がり応答時間を長くすることができる。
【００６２】
第２オーバーシュートテーブル４２２が、液晶の立上がりの応答波形と立下がりの応答波形とが線対称に近くなるようにオーバーシュート補正値を設定してある。すなわち、目標階調へ遷移する際の立上がり（ライズ）及び立下がり（ディケイ）それぞれの応答波形が近くなるように（別言すれば、目標階調へ遷移するまでの時間が同等になるように）オーバーシュート補正値を設定してある。通常、液晶の応答速度を高めて動画表示品位を改善するオーバーシュート補正値は、第１オーバーシュートテーブル４２１のように、液晶が目標の透過率を越えない範囲内で応答時間が最短になるように設定される。しかし、本実施の形態では、応答速度（目標の階調への到達速度）だけでなく、第２オーバーシュートテーブル４２２のように、異なる２つの目標階調値間での応答波形自体が立上がりと立下がりとで線対称に近くなるように設定してある。これにより、明部から暗部及び暗部から明部への遷移が同時に発生した場合のフリッカの発生を抑制することができる。具体的には、立上がりの応答波形と立下がりの応答波形とを比較し、応答の速い側の速度を抑え、液晶分子の遷移途中の輝度到達度を細かく微調整することで達成することができる。
【００６３】
なお、図７及び図９において、Ｎフレームでの階調値及び（Ｎ−１）フレームでの階調値が、離散的な値で表示されているが、表示されていない階調値に対するオーバーシュート補正値は、例えば、表示された階調値を用いて線形補間等の処理により、算出すればよい。
【００６４】
図１０は画像変換部３０で変換した変換画像に対して第２オーバーシュートテーブル４２２を用いた場合の階調遷移する際の立下がり応答及び立上がり応答の波形の一例を示す模式図である。図１０の例では、画素Ｐ２の階調遷移に係る立下がり応答時間を遅くするので、画素Ｐ２の階調遷移の途中の階調値と画素Ｐ１の階調遷移の途中の階調値とが等しくなる階調値は、図８の場合に比べて、画素Ｐ１、Ｐ２の高階調値及び低階調値の中間値に近づくことになる。このため、画素Ｐ１、Ｐ２で構成される千鳥部分（画素ブロック）の平均輝度（全体輝度）の低下が抑制される。
【００６５】
なお、立下がり応答時間だけを遅くするように調整してもよく、立上がり応答時間だけを速くするようにしてもよく、あるいは立下がり応答時間だけを遅くするとともに立上がり応答時間を速くするようにしてもよい。
【００６６】
本実施の形態の液晶表示装置１００にあっては、制御部４０は、画像入力部１０で取得した取得画像のフレームが切り替わる場合に、高階調値及び低階調値の中間値と、当該高階調値から当該低階調値へ遷移する途中の階調値が当該低階調値から当該高階調値へ遷移する途中の階調値に等しくなる階調値との第２差として特定する。例えば、液晶パネル６０の階調を０〜２５５とし、高階調値を２４０、低階調値を１０とする。高階調値及び低階調値の中間値は、１２５{＝（２４０＋１０）／２}となる。高階調値と低階調値間の遷移途中で等しくなる階調値を、例えば、４０とすると、第２差は８５（＝１２５−４０）となる。階調遷移時の立下がり応答時間と立上がり応答時間が同等である場合には、高階調値と低階調値間の遷移途中で等しくなる階調値は、中間値と同等になる。階調遷移時の立下がり応答時間が立上がり応答時間よりも速いため、第２差が輝度低下として生じる。
【００６７】
また、制御部４０は、画像変換部３０で変換した変換画像のフレームが切り替わる場合に、当該高階調値及び低階調値の中間値と、当該高階調値から当該低階調値へ遷移する途中の階調値が当該低階調値から当該高階調値へ遷移する途中の階調値に等しくなる階調値との第１差を特定する。
【００６８】
そして、制御部４０は、特定した第１差を第２差よりも小さくすべく制御する。例えば、高階調値を２４０、低階調値を１０とする。高階調値及び低階調値の中間値は、１２５［＝（２４０＋１０）／２］となる。高階調値と低階調値間の遷移途中で等しくなる階調値を、例えば、１００とすべく制御すると、第１差は２５（＝１２５−１００）となり、第１差＜第２差とすることができる。これにより、輝度低下を抑制することができる。画像変換部３０で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。
【００６９】
また、本実施の形態の液晶表示装置１００にあっては、制御部４０は、画像変換部３０で変換した変換画像のフレームが切り替わる場合に、高階調値から低階調値へ遷移する際の立下がり応答時間と当該低階調値から当該高階調値へ遷移する際の立上がり応答時間との差を小さくすべく制御する。立下がり応答時間と立上がり応答時間との差を小さくするとは、例えば、立下がり応答時間を遅くすること、立上がり応答時間を速くすること、あるいは両者を行うことである。例えば、立下がり応答時間を遅くすることにより、高階調値から低階調値へ遷移する途中の階調値が当該低階調値から当該高階調値へ遷移する途中の階調値と等しくなる階調値をより高い階調値にすることができ、中間値との差である第１差を小さくすることができる。これにより、画像変換部３０で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。
【００７０】
また、本実施の形態の液晶表示装置１００にあっては、制御部４０は、画像変換部３０で変換した変換画像のフレームが切り替わる場合に、オーバーシュートテーブル４２２が決定する立下がり応答時間を長くする。例えば、図９において、フレーム切替前の階調値を２２４とし、フレーム切替後の階調値を８０とした場合に、オーバーシュート値を４７とする。つまり、図７の例と対比して、オーバーシュート値を３０から４７へ変更することにより、立下がり応答時間を長くすることができる。
【００７１】
これにより、制御部４０は、高階調値（例えば、２２４）から低階調値（例えば、８０）へ遷移する途中の階調値が当該低階調値(例えば、８０)から当該高階調値(例えば、２２４)へ遷移する途中の階調値に等しくなる階調値を、当該高階調値及び当該低階調値の中間値（例えば、１５２）に近づけるべく制御する。これにより、第１差を一層小さくすることができるので、輝度低下を抑制することができる。そして、画像変換部３０で変換した変換画像が、例えば、２０Ｈｚ、３０Ｈｚなどの遅い周波数で切り替わったとしても、輝度低下を抑制することができるので、フリッカの発生を抑制し表示品位の悪化を防止することができる。
【００７２】
また、本実施の形態の液晶表示装置１００にあっては、制御部４０は、判定部２０で変換画像に変換すると判定した場合、図９に例示したような当該制御を行う。これにより、外部から入力される画像（映像）に応じて表示周波数と同じ又は速い周波数でフレームを切り替えて画像を表示する場合には、液晶パネルの応答速度を高めて表示品位を維持するとともに、表示周波数よりも遅い周波数でフレームを切り替えて画像を表示する場合には、フリッカの発生を抑制して表示品位の悪化を防止することができる。
【００７３】
（第２実施形態）
第１実施形態では、オーバーシュートテーブル４２を用いる構成であったが、これに限定されるものでない。第２実施形態では、オーバーシュートテーブル４２に代えて演算部（不図示）を備える。演算部は、フレームの切替前後それぞれの階調値に基づいてオーバーシュート補正値を演算することができる。なお、他の箇所は第１実施形態と同様であるので説明は省略する。
【００７４】
（第３実施形態）
図１１は第３実施形態の液晶表示装置１２０の構成の一例を示すブロック図である。第３実施形態では、第１実施形態のオーバーシュートテーブル４２に代えて中間画像生成部４３を備える点で相違する。
【００７５】
中間画像生成部４３は、生成部としての機能を有し、フレームの切替前後の取得画像の対応する画素それぞれの階調値の中間の階調値を有する画素を有する中間画像を生成する。中間の階調値は、例えば、取得画像の高階調値と低階調値との中間値でもよいが、これに限定されるものではない。例えば、取得画像の任意の画素が、フレーム切替の前後で２２４（高階調値）から８０(低階調値)に遷移するとする。この場合、中間画像の対応する画素の階調値は、１５２{＝（２２４＋８０）／２}とすることができる。
【００７６】
制御部４０は、画像変換部３０が取得画像を変換する場合に、フレームの切替前又は後に取得画像の一のフレームに代えて中間画像生成部４３で生成した中間画像を挿入すべく制御する。
【００７７】
図１２は第３実施形態の液晶表示装置１２０によるフリッカの発生を抑制する一例を示す模式図である。図１２に示すように、取得画像（フィルム映像）のフレーム１を３回繰り返し、フレーム２を２回繰り返し、フレーム３を３回繰り返し、フレーム４を２回繰り返して取得画像を変換するとする。この場合、同一のフレームの最初のフレーム（１フレーム目）に前フレームとの中間階調の画像、すなわち中間画像生成部４３で生成した中間画像を挿入する。フレーム１及びフレーム２に対応する中間画像をフレームＭ１２で表し、フレーム２及びフレーム３に対応する中間画像をフレームＭ２３で表し、フレーム３及びフレーム４に対応する中間画像をフレームＭ３４で表すとする。この場合、画像変換部３０で変換した変換画像は、フレーム１、１、１、Ｍ１２、２、Ｍ２３、３、３、Ｍ３４、４となる。これにより、フレームが切り替わるタイミングで、急激な階調変化を回避して、立下がり応答時間と立上がり応答時間との差に起因するフリッカの発生を抑制することができる。
【００７８】
図１３は第３実施形態の液晶表示装置１２０によるフリッカの発生を抑制する他の例を示す模式図である。図１３に示すように、取得画像（フィルム映像）のフレーム１を３回繰り返し、フレーム２を２回繰り返し、フレーム３を３回繰り返し、フレーム４を２回繰り返して取得画像を変換するとする。この場合、同一のフレームの最後のフレームに後フレームとの中間階調の画像、すなわち中間画像生成部４３で生成した中間画像を挿入する。フレーム１及びフレーム２に対応する中間画像をフレームＭ１２で表し、フレーム２及びフレーム３に対応する中間画像をフレームＭ２３で表し、フレーム３及びフレーム４に対応する中間画像をフレームＭ３４で表すとする。この場合、画像変換部３０で変換した変換画像は、フレーム１、１、Ｍ１２、２、Ｍ２３、３、３、Ｍ３４、４、４となる。これにより、フレームが切り替わるタイミングで、急激な階調変化を回避して、立下がり応答時間と立上がり応答時間との差に起因するフリッカの発生を抑制することができる。
【００７９】
また、第３実施形態の液晶表示装置１２０にあっては、制御部４０は、フレームの切替前後の取得画像の対応する画素同士の階調差よりも、フレームの切替前後の変換画像の対応する画素同士の階調差を小さくすべく制御する。例えば、取得画像のフレームが切り替わる際に、取得画像の任意の画素の階調値が高階調値（例えば、２２４）から低階調値（例えば、８０）に遷移するとする。この場合、当該画素の階調値の差は１４４（＝２２４−８０）となる。そして、制御部４０は、フレーム（取得画像のフレームと同じフレーム）切替前後の変換画像の対応する画素同士の階調値を、１４４よりも小さくする。例えば、変換画像のフレーム（取得画像のフレームと同じフレーム）が切り替わる際に、変換画像の当該画素の階調値が高階調値（例えば、２２４）から低階調値（例えば、１５２）に遷移するように変換画像を生成する。これにより、変換画像の当該画素の階調差は、９２（＝２２４−１５２）となり、急激な階調変化を回避して、立下がり応答時間と立上がり応答時間との差に起因するフリッカの発生を抑制することができる。
【００８０】
（第４実施形態）
図１４は第４実施形態によるフリッカ改善の方法の一例を示す説明図である。図１４に示すように、第４実施形態では、例えば、制御部４０が映像設定としてのシャープネスの値を調整する。
【００８１】
より具体的には、制御部４０は、判定部２０で変換画像に変換すると判定した場合、シャープネスを、例えば、０に調整して、隣り合う画素の階調値の差を小さくしてフリッカの発生を抑制する。これにより、フリッカを改善することができる。
【００８２】
一方、制御部４０は、判定部２０で変換画像に変換しないと判定した場合、シャープネスを、例えば、１００に調整して、取得画像のシャープネスを維持して鮮明な画像を表示することができる。判定部２０で変換画像に変換しないと判定した場合、仮にフリッカが発生したとしても、２０Ｈｚや３０Ｈｚのように遅い周波数で現れるのではなく、６０Ｈｚで現れるので、視認しにくい。そこで、フリッカの改善よりも画像の鮮明さを優先することにより、画像の表示品位を維持することができる。
【００８３】
以上に開示された実施の形態はすべての点で例示であって制限的なものではないと考慮されるべきである。本発明の範囲は、以上の実施の形態ではなく、請求の範囲によって示され、請求の範囲と均等の意味および範囲内でのすべての修正と変形を含むものである。
【符号の説明】
【００８４】
１０  画像入力部（取得部）
２０  判定部  
３０  画像変換部（変換部）
４０  制御部
４１  表示データ生成部
４２  オーバーシュートテーブル（決定部）
４２１  第１オーバーシュートテーブル
４２２  第２オーバーシュートテーブル
４３  中間画像生成部（生成部）
５０  駆動部
６０  液晶パネル
【図１】
2015186212.tif 000003
【図２】
2015186212.tif 000004
【図３】
2015186212.tif 000005
【図４】
2015186212.tif 000006
【図５】
2015186212.tif 000007
【図６】
2015186212.tif 000008
【図７】
2015186212.tif 000009
【図８】
2015186212.tif 000010
【図９】
2015186212.tif 000011
【図１０】
2015186212.tif 000012
【図１１】
2015186212.tif 000013
【図１２】
2015186212.tif 000014
【図１３】
2015186212.tif 000015
【図１４】
2015186212.tif 000016
【国際調査報告】
2015186212.tif 000017
2015186212.tif 000018
2015186212.tif 000019
2015186212.tif 000020